(57)【要約】【課題】スピニングリールの釣り糸案内機構において、第２ベール支持部材のベール装着部分に釣り糸が絡みつきにくくする。【解決手段】スピニングリールのベールアーム４４では、第２ベール支持部材４２のベール４３装着部分のベール４３の周囲に取り付けられ、外径が第２ベール支持部材４２側からベール４３側に向けて縮径するように形成された筒状部材７０が設けられている。【選択図】図４
2011092048.tif 000002
【特許請求の範囲】
【請求項１】
第１ロータアーム及び第２ロータアームの先端に糸案内姿勢と糸開放姿勢とに揺動自在に設けられ、前記糸案内姿勢のときスプールに釣り糸を案内するスピニングリールの釣り糸案内機構であって、
前記第１ロータアーム及び前記第２ロータアームの先端にそれぞれ揺動自在に装着された第１ベール支持部材及び第２ベール支持部材と、
前記第１ベール支持部材の先端に設けられ前記釣り糸を前記スプールに案内するラインローラと、
前記第１ベール支持部材の先端から突出し前記ラインローラを回転自在に支持する固定軸と、
前記固定軸の先端に設けられ前記ラインローラの外径より大きい外径を有する固定軸カバーと、
前記固定軸カバーと前記第２ベール支持部材との間を連結して前記釣り糸を前記ラインローラに案内するベールと、
前記第２ベール支持部材の前記ベール装着部分の前記ベールの周囲に取り付けられ、外径が前記第２ベール支持部材側から前記ベール側に向けて縮径するように形成された筒状部材と、
を備えたスピニングリールの釣り糸案内機構。
【請求項２】
前記ベールは、前記第２ベール支持部材側の第１部分と、前記第１ベール支持部材側の外径が前記第１部分の外径より大径となる第２部分と、前記第１部分と前記第２部分と間に形成された第１段差部とを有し、
前記筒状部材は、前記第２ベール支持部材と前記第１段差部とで挟持される、請求項１に記載のスピニングリールの釣り糸案内機構。
【請求項３】
前記筒状部材は、前記第２ベール支持部材側の小径内径部と前記第１ベール支持部材側の内径が前記小径内径部の内径より大径となる大径内径部との間に形成され、前記第１段差部と接触可能な第２段差部を有し、
前記筒状部材は、前記第２段差部が前記第１段差部と接触した状態で、前記第２ベール支持部材と前記第１段差部とで挟持される、請求項２に記載のスピニングリールの釣り糸案内機構。
【請求項４】
前記第２ベール支持部材は、前記ベール装着部分が前記ベール装着方向に向かって凹んで形成され、底部に前記筒状部材の端部が接触可能な凹部を有し、
前記筒状部材は、前記凹部の底部と前記第１段差部とで挟持される、請求項２又は３に記載のスピニングリールの釣り糸案内機構。
【請求項５】
前記第２ベール支持部材は、前記ベール装着部分の外径が前記第２ベール支持部材側から前記ベール側に向けて縮径するように形成されている、請求項１から４のいずれか１項に記載のスピニングリールの釣り糸案内機構。
【請求項６】
前記ベールは、前記筒状部材が前記ベールに取り付けた状態で、前記第２ベール支持部材にかしめ固定される、請求項１から５のいずれか１項に記載のスピニングリールの釣り糸案内機構。
【請求項７】
前記筒状部材は、金属製である、請求項１から６のいずれか１項に記載のスピニングリールの釣り糸案内機構。
【請求項８】
前記筒状部材は、表面にめっき処理が行われている、請求項１から７のいずれか１項に記載のスピニングリールの釣り糸案内機構。
【発明の詳細な説明】
【技術分野】
【０００１】
本発明は、釣り糸案内機構、特に、第１ロータアーム及び第２ロータアームの先端に糸案内姿勢と糸開放姿勢とに揺動自在に設けられ、糸案内姿勢のときスプールに釣り糸を案内するスピニングリールの釣り糸案内機構に関する。
【背景技術】
【０００２】
スピニングリールには、釣り糸をスプール案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１ベール支持部材と、第２ロータアームの先端に揺動自在に設けられた第２ベール支持部材と、両ベール支持部材を連結するベールとを有している。第１ベール支持部材の先端には、釣り糸を案内するためのラインローラと、ラインローラを支持するための固定軸カバーとが装着されており、ベールの一端は固定軸カバーに固定されている。ベールの他端は第２ベール支持部材にかしめ固定されている（たとえば、特許文献１参照）。
【先行技術文献】
【特許文献】
【０００３】
【特許文献１】特開平１０−２３４２７７号公報
【発明の概要】
【発明が解決しようとする課題】
【０００４】
前記従来の釣り糸案内機構は、ベールの他端は第２ベール支持部材にかしめ固定されているので、第２ベール支持部材のベール装着部分には、第２ベール支持部材の先端部とベールとの間に大きな段差が形成されている。このように第２ベール支持部材のベール装着部分に大きな段差が形成されていると、第２ベール支持部材のベール装着部分に釣り糸が絡みつくおそれが生じる。
【０００５】
本発明の課題は、スピニングリールの釣り糸案内機構において、第２ベール支持部材のベール装着部分に釣り糸が絡みつきにくくすることにある。
【課題を解決するための手段】
【０００６】
発明１に係るスピニングリールの釣り糸案内機構は、第１ロータアーム及び第２ロータアームの先端に糸案内姿勢と糸開放姿勢とに揺動自在に設けられ、糸案内姿勢のときスプールに釣り糸を案内するスピニングリールの釣り糸案内機構であって、第１ベール支持部材及び第２ベール支持部材と、ラインローラと、固定軸と、固定軸カバーと、固定軸カバーと、ベールと、筒状部材とを備えている。第１ベール支持部材及び第２ベール支持部材は、第１ロータアーム及び第２ロータアームの先端にそれぞれ揺動自在に装着される。ラインローラは、第１ベール支持部材の先端に設けられ釣り糸をスプールに案内する部材である。固定軸は、第１ベール支持部材の先端から突出しラインローラを回転自在に支持する部材である。固定軸カバーは、固定軸の先端に設けられラインローラの外径より大きい外径を有している。ベールは、固定軸カバーと第２ベール支持部材との間を連結して釣り糸をラインローラに案内する部材である。筒状部材は、第２ベール支持部材のベール装着部分のベールの周囲に取り付けられ、外径が第２ベール支持部材側からベール側に向けて縮径するように形成されている。
【０００７】
この釣り糸案内機構では、第２ベール支持部材のベール装着部分のベールの周囲に取り付けられ、外径が第２ベール支持部材側からベール側に向けて縮径するように形成された筒状部材が設けられている。ここでは、第２ベール支持部材のベール装着部分のベールの周囲に筒状部材が取り付けられているので、従来の筒状部材を設けない構成に比して第２ベール支持部材のベール装着部分に大きな段差が形成されにくくなる。さらに、ここでは、筒状部材の外径が第２ベール支持部材側からベール側に向けて縮径するようにテーパ状に形成されているので、筒状部材の外周に釣り糸が接触したとしても、第２ベール支持部材のベール装着部分側からベール側に釣り糸を移動させることができる。したがって、このような筒状部材を設けることによって、第２ベール支持部材のベール装着部分に釣り糸が絡みつきにくくすることができる。
【０００８】
発明２に係る釣り糸案内機構は、発明１の釣り糸案内機構において、ベールは、第２ベール支持部材側の第１部分と、第１ベール支持部材側の外径が第１部分の外径より大径となる第２部分と、第１部分と第２部分と間に形成された第１段差部とを有している。筒状部材は、第２ベール支持部材と第１段差部とで挟持される。この場合、筒状部材は、第２ベール支持部材とベールの第１段差部とで挟持されるので、第２ベール支持部材にベールを固定すると同時に筒状部材を位置決め固定することができる。
【０００９】
発明３に係る釣り糸案内機構は、発明２の釣り糸案内機構において、筒状部材は、第２ベール支持部材側の小径内径部と第１ベール支持部材側の内径が小径内径部の内径より大径となる大径内径部との間に形成され、第１段差部と接触可能な第２段差部を有している。筒状部材は、第２段差部が第１段差部と接触した状態で、第２ベール支持部材と第１段差部とで挟持される。この場合、筒状部材とベールとが接触する第１段差部及び第２段差部が外部に露出しないようになっているので、第１段差部及び第２段差部に釣り糸が絡みつくことがなくなる。
【００１０】
発明４に係る釣り糸案内機構は、発明２又は３の釣り糸案内機構において、第２ベール支持部材は、ベール装着部分がベール装着方向に向かって凹んで形成され、底部に筒状部材の端部が接触可能な凹部を有している。筒状部材は、凹部の底部と第１段差部とで挟持される。この場合、筒状部材が凹部の底部に接触するように凹部の内部に装着されるので、筒状部材の装着固定が容易かつ確実になる。
【００１１】
発明５に係る釣り糸案内機構は、発明１から４のいずれかの釣り糸案内機構において、第２ベール支持部材は、ベール装着部分の外径が第２ベール支持部材側からベール側に向けて縮径するように形成されている。この場合、第２ベール支持部材のベール装着部分の外径が第２ベール支持部材側からベール側に向けて縮径するようにテーパ状に形成されているので、第２ベール支持部材の外周に釣り糸が接触したとしても、第２ベール支持部材の外周からを筒状部材の外周に釣り糸を移動させ、さらに、第２ベール支持部材のベール装着部分側からベール側に釣り糸を移動させることができる。
【００１２】
発明６に係る釣り糸案内機構は、発明１から５のいずれかの釣り糸案内機構において、ベールは、筒状部材をベールに取り付けた状態で、第２ベール支持部材にかしめ固定される。この場合、ベールの装着固定が容易かつ確実になる。
【００１３】
発明７に係る釣り糸案内機構は、発明１から６のいずれかの釣り糸案内機構において、筒状部材は、金属製である。この場合、筒状部材の強度を高く維持できるとともに、筒状部材の材質、外径寸法、長さ等を適宜変更して回転バランスを微調整することができる。
【００１４】
発明８に係る釣り糸案内機構は、発明１から７のいずれかの釣り糸案内機構において、筒状部材は、表面にめっき処理が行われている。この場合、筒状部材が金属製である場合には腐食防止できるとともに、たとえば筒状部材を第２ベール支持部材やベールと異なる色となるようにめっき処理することでリール全体の外観意匠を向上できる。
さらに、筒状部材がアルミニウムや亜鉛等の製作が容易で比較的柔らかい材質であっても、表面にめっき処理を行うことにより、表面の硬度を向上させることができ、釣り糸による傷付きを抑えることができる。
【発明の効果】
【００１５】
本発明によれば、スピニングリールの釣り糸案内機構において、第２ベール支持部材のベール装着部分のベールの周囲に取り付けられ、外径が第２ベール支持部材側からベール側に向けて縮径するように形成された筒状部材が設けられているので、第２ベール支持部材のベール装着部分に釣り糸が絡みつきにくくすることができる。
【図面の簡単な説明】
【００１６】
【図１】本発明の一実施形態によるスピニングリールの側面図。
【図２】前記スピニングリールの側面断面図。
【図３】前記スピニングリールのベールアームの斜視図。
【図４】前記ベールアームの第２ベール支持部材のベール装着部分の斜視図。
【図５】前記第２ベール支持部材の前記ベール装着部分の断面図。
【図６】前記第２ベール支持部材の前記ベール装着部分の拡大断面図。
【図７】他の実施形態の図６に相当する図。
【図８】他の実施形態の図６に相当する図。
【図９】他の実施形態の図６に相当する図。
【図１０】他の実施形態の図６に相当する図。
【発明を実施するための形態】
【００１７】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１は、リール本体２の左右いずれにも装着可能である。
【００１８】
リール本体２は、図２に示すように、内部に空間を有するリールボディ２ａと、リールボディ２ａの空間を塞ぐためにリールボディ２ａに着脱自在に装着される蓋部材２ｂ（図１参照）とを有している。また、リール本体２は、リールボディ２ａ及び蓋部材２ｂの後部を覆う本体ガード２ｄを有している。
【００１９】
リールボディ２ａは、図２に示すように、たとえばマグネシウム合金やアルミニウム合金等の軽合金製のものであり、上部に前後に延びるＴ字形の竿取付脚２ｃが一体形成されている。リールボディ２ａの空間内には、図２に示すように、ロータ駆動機構５と、オシレーティング機構６とが設けられている。
【００２０】
蓋部材２ｂは、図１に示すように、たとえば、マグネシウム合金やアルミニウム合金等の軽合金製のものである。蓋部材２ｂは、たとえば、ロータ３で隠れる前側の２箇所で固定ボルトによりリールボディ２ａに固定されているとともに、ロータ３から離反する後側の１箇所で固定ボルトによりリールボディ２ａに固定されている。
【００２１】
ロータ駆動機構５は、図２に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ第１軸受１４ａ、第２軸受１４ｂを介してリール本体２に回転自在に支持されている。
【００２２】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２３】
ロータ３は、図２に示すように、リール本体２に対して前後方向の軸回りに回転自在なロータ本体７と、ロータ本体７の後部を覆う第１カバー部材３３と、第１ロータアーム３１及び第２ロータアーム３２の外側面を覆う１対の第２カバー部材３４及び第３カバー部材３５とを有している。
【００２４】
ロータ本体７は、図２に示すように、たとえばアルミニウム合金製であり、ピニオンギア１２に回転不能に連結され、リール本体２に対して回転自在である。ロータ本体７は、リール本体２の前部である円筒部を内部に配置可能に後部に形成された凹陥部を有する筒部３０と、筒部３０の後部の対向する位置に接続され筒部３０と間隔を隔てて前方に延びる第１ロータアーム３１及び第２ロータアーム３２とを有している。
【００２５】
筒部３０は、図２に示すように、前部内周側に円板状の壁部を有し、壁部の中心部には、ピニオンギア１２と一体回転可能に連結される環状のボス部が形成されている。このボス部の中心にピニオンギア１２の前部が回転不能に係止され、ピニオンギア１２の先端にねじ込まれたナット１３により、ロータ本体７がピニオンギア１２に固定されている。
【００２６】
第１カバー部材３３は、筒部３０の周囲でロータ本体７の後部を覆うように構成されている。第２カバー部材３４は、第１ロータアーム３１の外方を覆うものであり、第１ロータアーム３１にねじ込まれる固定ボルトにより第１ロータアーム３１に連結されている。
【００２７】
第２カバー部材３４は、図２に示すように、第１カバー部材３３及び第１ロータアーム３１と三次元的な曲線で接合している。第２カバー部材３４の先端部は、後述する第１ベール支持部材４０を配置可能に概ね半円形に切り欠かれる。
【００２８】
第３カバー部材３５は、図２に示すように、第２ロータアーム３２の外方を覆うものであり、固定ボルト及びそれに螺合するナット部材により第２ロータアーム３２に固定される。第３カバー部材３５も第１カバー部材３３及び第２ロータアーム３２と三次元的な曲線で接合している。固定ボルトは、第３カバー部材３５をロータ本体７に固定するするとともに、後述する第２ベール支持部材４２を揺動自在に支持する機能も有している。
【００２９】
第１ロータアーム３１の先端の外周側には、図２に示すように、第１ベール支持部材４０が揺動自在に装着されている。第１ベール支持部材４０の先端には、釣り糸をスプール４に案内するためのラインローラ４１が装着されている。また、第２ロータアーム３２の先端外周側には、第２ベール支持部材４２が揺動自在に装着されている。ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４（釣り糸案内機構の一例）が構成される。ベールアーム４４は、図２に示す糸案内姿勢とそれから反転した糸開放姿勢との間で揺動自在である。
【００３０】
ベールアーム４４は、図１から図３に示すように、第１ロータアーム３１及び第２ロータアーム３２の先端に、糸案内姿勢と糸開放姿勢との間で揺動自在に装着されている。ベールアーム４４は、第１ロータアーム３１及び第２ロータアーム３２の先端にそれぞれ揺動自在に装着された第１ベール支持部材４０及び第２ベール支持部材４２を有している。
【００３１】
第１ベール支持部材４０は、第１ロータアーム３１の外側に揺動自在に装着され、第２ベール支持部材４２は、第２ロータアーム３２の外側に揺動自在に装着されている。ベールアーム４４は、図１から図３に示すように、第１ベール支持部材４０及び第２ベール支持部材４２を連結するベール４３と、第１ベール支持部材４０に先端が固定された固定軸４５と、固定軸４５に支持されたラインローラ４１と、固定軸４５を覆う固定軸カバー４６とを有している。
【００３２】
第１ベール支持部材４０は、第１ロータアーム３１の先端に揺動自在に装着される部材である。第１ベール支持部材４０は、図２に示すように、第１ロータアーム３１に揺動自在に装着される第１回転支持部４０ａと、第１回転支持部４０ａから前方に延びる第１アーム部４０ｂと、第１アーム部４０ｂの先端に一体成形されベールアーム４４のラインローラ４１、固定軸４５及び固定軸カバー４６が装着される第１装着部４０ｃとを有している。
【００３３】
ラインローラ４１は、第１ベール支持部材４０の先端に設けられ釣り糸をスプール４に案内する部材である。ラインローラ４１は、外周面に釣り糸を案内する溝が形成された筒状のローラと、ローラの内周側に軸方向に間隔を隔てて配置された２つの軸受とを有している。ローラは２つの軸受を介して固定軸４５に回動自在に支持されている。
【００３４】
ベール４３は、固定軸カバー４６と第２ベール支持部材４２との間を連結して釣り糸をラインローラ４１に案内する部材である。ベール４３は、図３に示すように、一端が固定軸カバー４６とステンレス合金の鍛造により一体成形され、他端が第２ベール支持部材４２にかしめ固定された針金状の部材であり、スプール４の周方向外方に凸に湾曲して配置されている。ベール４３は、ベールアーム４４が糸開放姿勢から糸案内姿勢に復帰したときに釣り糸を固定軸カバー４６を介してラインローラ４１に導くためのものである。ベール４３は、筒状部材７０をベール４３に取り付けた状態で、第２ベール支持部材４２にかしめ固定される。ベール４３は、図４から図６に拡大して示すように、第２ベール支持部材４２側（図６左側）の外径が小径となる第１部分４３ａと、第１ベール支持部材４０側（図６右側）の外径が第１部分４３ａの外径より大径となる第２部分４３ｂと、第１部分４３ａの先端部外周に形成されたベール４３を第２ベール支持部材４２にかしめ固定するための溝部４３ｃ（図５参照）と、第１部分４３ａと第２部分４３ｂと間に形成された第１段差部４３ｄとを有している。第１部分４３ａは、図４及び図５に示すように、第２ベール支持部材４２の後述する先端部４２ｄに形成された段付きの凹部である後述する開口側の大径浅穴の第１凹部４２ｅ及び奥側の小径長穴の第２凹部４２ｆに挿通され、第２ベール支持部材４２にかしめ固定される部分である。第１部分４３ａは、図５に示すように、第１凹部４２ｅ及び第２凹部４２ｆの挿通方向の長さよりやや長くなるように形成されており、このため、第１部分４３ａを第１凹部４２ｅ及び第２凹部４２ｆに挿通したとき、第１部分４３ａの第２部分４３ｂ側（図６右側）端部は、第２ベール支持部材４２の先端部４２ｄより外方に突出している。また、第１部分４３ａの外径は、第１凹部４２ｅの内径より小径になるように形成され、かつ、第２凹部４２ｆの内径と略同一になるように形成されている。このため、第１部分４３ａの第２部分４３ｂ側（図６右側）端部外周と、第１凹部４２ｅの内周との間には空間が形成されており、この空間に後述する筒状部材７０が配置可能である。第２部分４３ｂは、図３に示すように、一端が固定軸カバー４６と一体成形され、中央部がスプール４の周方向外方に凸に湾曲して配置され、他端が第１部分４３ａ（図５及び図６参照）と一体成形されており、第１部分４３ａの長さに比して長くなるように形成されている。第１部分４３ａの外径は、図５及び図６に示すように、第２部分４３ｂの外径より僅かに小さくなるように形成されており、第１部分４３ａと第２部分４３ｂとの間に第１段差部４３ｄが生成される。第１段差部４３ｄは、図６に示すように、後述する筒状部材７０の第２段差部７０ｃが接触可能な段差であって、後述する筒状部材７０の第１端部７０ｆを後述する第２ベール支持部材４２の第１凹部４２ｅの底部４２ｇに接触させ、筒状部材７０の第２段差部７０ｃをベール４３の第１段差部４３ｄに接触させることによって、筒状部材７０を第２ベール支持部材４２とベール４３とで挟持するために設けられている。
【００３５】
第２ベール支持部材４２は、第２ロータアーム３２の先端に揺動自在に装着される部材である。第２ベール支持部材４２は、亜鉛合金によって形成されたアーム部材であり、ベール４３の端部を支持するためのものである。第２ベール支持部材４２は、図２から図５に示すように、第２ロータアーム３２に揺動自在に装着される第２回転支持部４２ａと、第２回転支持部４２ａから前方に延びる第２アーム部４２ｂと、第２アーム部４２ｂの先端に一体成形されベールアーム４４のベール４３が装着される第２装着部４２ｃとを有している。第２装着部４２ｃは、図４から図６に拡大して示すように、ベール４３装着部分である先端部４２ｄの外径が第２ベール支持部材４２側からベール４３側（図６の左側から右側）に向けて縮径するように傾斜部４２ｈが形成されている。第２装着部４２ｃは、先端部４２ｄがベール４３装着方向（図６の左方向）に向かって凹んで形成され、底部４２ｇに筒状部材７０の第１端部７０ｆが接触可能な開口側（図６右側）の大径浅穴の第１凹部４２ｅと、第１凹部４２ｅの底部４２ｇに連通し第１凹部４２ｅより小径に形成されベール４３の第１部分４３ａが挿通される奥側（図６左側）の小径長穴の第２凹部４２ｆとを有している。第１凹部４２ｅ及び第２凹部４２ｆは段付きの凹部であって、第２凹部４２ｆに第１部分４３ａが挿通されて第２ベール支持部材４２にベール４３がかしめ固定されるとともに、第２凹部４２ｆの底部４２ｇに筒状部材７０の第１端部７０ｆ（図６左側端部）が接触した状態で筒状部材７０が第１凹部４２ｅの内部に配置され、第２凹部４２ｆの底部４２ｇとベール４３の第１段差部４３ｄとで筒状部材７０が挟持される。
【００３６】
筒状部材７０は、図３から図６に示すように、第２ベール支持部材４２の第２装着部４２ｃのベール４３の周囲に装着され、外径が第２ベール支持部材４２側からベール４３側に向けて縮径するようにテーパ状に形成されている。筒状部材７０は、ステンレス合金の切削加工により形成された筒状の部材である。筒状部材７０は、ステンレス合金製であって、筒状部材７０の表面には、金色のＩＰ蒸着めっき処理が行われている。筒状部材７０は、図６に示すように、第２ベール支持部材４２側（図６左側）の外径が同径筒状となる筒部７０ｄと、ベール４３側（図６右側）の外径が第２ベール支持部材４２側からベール４３側（図６の左側から右側）に向けて筒部７０ｄから縮径するように形成された傾斜部７０ｅとを有している。筒状部材７０は、図６に示すように、第２ベール支持部材４２側（図６左側）の内径が小径となる小径内径部７０ａと、第１ベール支持部材４０側（図６右側）の内径が小径内径部７０ａの内径より大径となる大径内径部７０ｂと、小径内径部７０ａと大径内径部７０ｂとの間に形成されベール４３の第１段差部４３ｄと接触可能な第２段差部７０ｃとを有している。小径内径部７０ａの内径は、図６に示すように、第１部分４３ａの外径と略同一になるように形成され、かつ、大径内径部７０ｂの内径は、第２部分４３ｂの外径と略同一になるように形成されている。このため、筒状部材７０の第２段差部７０ｃは、ベール４３の第１段差部４３ｄと略同一高さの段差となっており、第２段差部７０ｃと第１段差部４３ｄとが全面で接触するようになっている。また、小径内径部７０ａの軸方向（図６左右方向）長さは、大径内径部７０ｂの軸方向（図６左右方向）長さと略同一長さになるように形成されており、このため、第２段差部７０ｃは、筒状部材７０の軸方向（図６左右方向）の略中央位置に配置される。筒状部材７０の第２段差部７０ｃは、ベール４３の第１段差部４３ｄが接触可能な段差であって、筒状部材７０の第１端部７０ｆを第２ベール支持部材４２の第１凹部４２ｅの底部４２ｇに接触させ、筒状部材７０の第２段差部７０ｃをベール４３の第１段差部４３ｄに接触させることによって、筒状部材７０を第２ベール支持部材４２とベール４３とで挟持するために設けられている。筒状部材７０とベール４３とが接触する第１段差部４３ｄ及び第２段差部７０ｃは、外部に露出しないようになっている。筒状部材７０は、第２ベール支持部材４２の第１凹部４２ｅの底部４２ｇとベール４３の第１段差部４３ｄとで挟持されるので、第２ベール支持部材４２にベール４３を固定すると同時に筒状部材７０を位置決め固定することができる。
【００３７】
このようなベール４３を第２ベール支持部材４２に装着固定するには、図５に示すように、筒状部材７０をベール４３の第１部分４３ａの先端部から第２部分４３ｂ側へ挿入し、筒状部材７０の第２段差部７０ｃがベール４３の第１段差部４３ｄに接触させる。この状態で、第１部分４３ａを第２ベール支持部材４２の第１凹部４２ｅから第２凹部４２ｆへ挿入し、筒状部材７０の第１端部７０ｆが第２ベール支持部材４２の第１凹部４２ｅの底部４２ｇに接触するまで第１部分４３ａを第２凹部４２ｆに押し込む。この状態で、ベール４３を第２ベール支持部材４２にかしめ固定することにより、筒状部材７０が第２ベール支持部材４２の第１凹部４２ｅの底部４２ｇとベール４３の第１段差部４３ｄとで挟持固定される。
【００３８】
固定軸４５は、第１ベール支持部材４０の先端から突出しラインローラ４１を回転自在に支持する部材である。固定軸４５は、固定軸カバー４６と別体で形成されたアルミニウム合金製のナット部材である。固定軸４５は、固定軸カバー４６側の基端から第１ベール支持部材４０側の先端に向かって延びており、先端が固定ボルトにより第１ベール支持部材４０に固定されている。
【００３９】
固定軸カバー４６は、固定軸４５の先端に設けられ、ラインローラ４１の外径より大きい外径を有している。固定軸カバー４６は、固定軸４５の基端に第１ベール支持部材４０の装着部と間隔を隔てて設けられ、鍛造等の型成形により形成されている。固定軸カバー４６は、頂点が中心からずれた略円錐形状の部材であり、固定軸４５の中心を基準にしてリールの後方でかつスプール４の径方向外方に頂点が向いている。固定軸カバー４６の頂点より釣り糸案内側に偏倚してベール４３が一体成形され、ベール４３は頂点付近の稜線部分と滑らかに接合されている。
【００４０】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４１】
スプール４は、図２に示すように、ロータ３の第１ロータアーム３１と第２ロータアーム３２との間に配置されており、スプール軸１５の先端にドラグ機構６０を介して装着されている。スプール４は、図４に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【００４２】
ドラグ機構６０は、図２に示すように、スプール４の回転を制動するものであり、スプール軸１５の先端に螺合するドラグ調整つまみ６１と、ドラグ調整つまみ６１により押圧されてスプール４を制動する制動部６２とを有している。
【００４３】
次にリールの操作及び動作について説明する。
【００４４】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により糸巻き取り姿勢に復帰しロータ３の逆転が禁止されているので釣り糸の放出が止まる。
【００４５】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４６】
このようなスピニングリールのベールアーム４４では、第２ベール支持部材４２のベール４３装着部分のベール４３の周囲に取り付けられ、外径が第２ベール支持部材４２側からベール４３側に向けて縮径するように形成された筒状部材７０が設けられている。ここでは、第２ベール支持部材４２のベール４３装着部分のベール４３の周囲に筒状部材７０が取り付けられているので、従来の筒状部材７０を設けない構成に比して第２ベール支持部材４２のベール４３装着部分に大きな段差が形成されにくくなる。さらに、ここでは、筒状部材７０の外径が第２ベール支持部材４２側からベール４３側に向けて縮径するようにテーパ状の傾斜部７０ｅが形成されているので、筒状部材７０の外周に釣り糸が接触したとしても、傾斜部７０ｅによって第２ベール支持部材４２のベール４３装着部分側からベール４３側に釣り糸を移動させることができる。したがって、このような筒状部材７０を設けることによって、第２ベール支持部材４２のベール４３装着部分に釣り糸が絡みつきにくくすることができる。
【００４７】
〔他の実施形態〕
（ａ）  前記実施形態では、ベール４３と固定軸カバー４６とが一体成形され、固定軸４５と固定軸カバー４６とが別体で形成されていたが、ベール４３、固定軸４５及び固定軸カバー４６を一体成形してもよいし、ベール４３、固定軸４５及び固定軸カバー４６を別体で形成してもよい。また、ベール４３、固定軸４５及び固定軸カバー４６の材質や製造方法は、ステンレス合金やアルミニウム合金以外の他の金属であってもよいし、鍛造や切削加工以外の他の加工方法であってもよい。
【００４８】
（ｂ）  前記実施形態では、筒状部材７０は、外径が同径筒状となる筒部７０ｄと、外径が筒部７０ｄから縮径するように形成された傾斜部７０ｅとを有していたが、図７に示すように、筒部７０ｄを設けないで、全ての外径が第２ベール支持部材４２側からベール４３側（図７の左側から右側）に向けて縮径するように形成された傾斜部７０ｅのみを設ける構成にしてもよい。この場合、筒状部材７０の外周に釣り糸が接触したとしても、筒状部材７０の全体が傾斜する傾斜部７０ｅによって第２ベール支持部材４２のベール４３装着部分側からベール４３側に釣り糸を移動させることができる。
【００４９】
（ｃ）  前記実施形態では、筒状部材７０は、
内径が小径となる小径内径部７０ａと、内径が小径内径部７０ａの内径より大径となる大径内径部７０ｂと、小径内径部７０ａと大径内径部７０ｂとの間に形成された第２段差部７０ｃとを有していたが、図８に示すように、小径内径部７０ａ、大径内径部７０ｂ及び第２段差部７０ｃを設けないで、筒状部材７０の内径が同径となる内径部７０ｈのみを形成し、筒状部材７０の第２端部７０ｇ（図８右側端部）をベール４３の第１段差部４３ｄと接触させる構成にしてもよい。この場合は、筒状部材７０に内径部７０ｈのみを形成すればよくなるので、筒状部材７０の形成が容易になる。
【００５０】
（ｄ）  前記実施形態では、第２ベール支持部材４２は、開口側の大径浅穴の第１凹部４２ｅと、第１凹部４２ｅの底部４２ｇに連通し第１凹部４２ｅより小径に形成される奥側の小径長穴の第２凹部４２ｆとを有していたが、図９に示すように、第１凹部４２ｅ及び底部４２ｇを設けないで、第２ベール支持部材４２の先端部４２ｄに筒状部材７０の第１端部７０ｆを接触させる構成にしてもよい。この場合は、第２ベール支持部材４２の加工が容易になるとともに、筒状部材７０の外径を第１凹部４２ｅの内径に合わせる必要がなくなる。
【００５１】
（ｅ）  前記実施形態では、筒状部材７０は、第２ベール支持部材４２の第１凹部４２ｅの底部４２ｇと、ベール４３の第１段差部４３ｄとで挟持固定されていたが、図１０に示すように、第１部分４３ａ、第２部分４３ｂ、第１段差部４３ｄ、小径内径部７０ａ、大径内径部７０ｂ及び第２段差部７０ｃを設けないで、筒状部材７０を第２ベール支持部材４２の第１凹部４２ｅに接着固定してもよい。この場合は、従来機種の第２ベール支持部材４２やベール４３に筒状部材７０を装着することができる。
【符号の説明】
【００５２】
１  ハンドル
２  リール本体
２ａ  リールボディ
２ｂ  蓋部材
２ｃ  竿取付脚
２ｄ  本体ガード
３  ロータ
４  スプール
４ａ  糸巻胴部
４ｂ  スカート部
４ｃ  前フランジ部
５  ロータ駆動機構
６  オシレーティング機構
７  ロータ本体
１０  マスターギア軸
１１  フェースギア
１２  ピニオンギア
１３  ナット
１４ａ  第１軸受
１４ｂ  第２軸受
１５  スプール軸
２１  螺軸
２２  スライダ
２３  中間ギア
３０  筒部
３１  第１ロータアーム
３２  第２ロータアーム
３３  第１カバー部材
３４  第２カバー部材
３５  第３カバー部材
４０  第１ベール支持部材
４０ａ  第１回転支持部
４０ｂ  第１アーム部
４０ｃ  第１装着部
４１  ラインローラ
４２  第２ベール支持部材
４２ａ  第２回転支持部
４２ｂ  第２アーム部
４２ｃ  第２装着部
４２ｄ  先端部
４２ｅ  第１凹部
４２ｆ  第２凹部
４２ｇ  底部
４２ｈ  傾斜部
４３  ベール
４３ａ  第１部分
４３ｂ  第２部分
４３ｃ  溝部
４３ｄ  第１段差部
４４  ベールアーム
４５  固定軸
４６  固定軸カバー
５０  逆転防止機構
５１  ワンウェイクラッチ
５２  切換機構
６０  ドラグ機構
６１  ドラグ調整つまみ
６２  制動部
７０  筒状部材
７０ａ  小径内径部
７０ｂ  大径内径部
７０ｃ  第２段差部
７０ｄ  筒部
７０ｅ  傾斜部
７０ｆ  第１端部
７０ｇ  第２端部
７０ｈ  内径部
【図１】
2011092048.tif 000003
【図２】
2011092048.tif 000004
【図３】
2011092048.tif 000005
【図４】
2011092048.tif 000006
【図５】
2011092048.tif 000007
【図６】
2011092048.tif 000008
【図７】
2011092048.tif 000009
【図８】
2011092048.tif 000010
【図９】
2011092048.tif 000011
【図１０】
2011092048.tif 000012